(57)【要約】【課題】  文字板部に変化を付与し得るようにする。【解決手段】  指針移動領域を有する文字板部２と、指針移動領域に沿って移動可能な指針３とを有する車両用計器装置であって、文字板部２を振動機構２１を用いて振動可能に構成するようにしている。【選択図】        図１
2007085842.tif 000002
【特許請求の範囲】
【請求項１】
指針移動領域を有する文字板部と、指針移動領域に沿って移動可能な指針とを有する車両用計器装置において、前記文字板部を振動機構を用いて振動可能に構成したことを特徴とする車両用計器装置。
【請求項２】
前記文字板部が軟質材で構成され、前記振動機構が文字板部に取付けられた磁石と、該磁石を吸引・反発可能なソレノイドとを備えたことを特徴とする請求項１記載の車両用計器装置。
【請求項３】
前記文字板部に同心円状凹凸部を形成したことを特徴とする請求項１または２記載の車両用計器装置。
【発明の詳細な説明】
【技術分野】
【０００１】
この発明は、車両用計器装置に関するものである。
【背景技術】
【０００２】
自動車などの車両には、車室内の前部にインストルメントパネルが設けられている。そして、このインストルメントパネルには、メータなどの車両用計器装置が設けられている。このような車両用計器装置は、通常、指針移動領域を有する文字板部と、指針移動領域に沿って移動可能な指針とを有している（例えば、特許文献１参照）。
【特許文献１】特開２００２−１２０５６号公報
【発明の開示】
【発明が解決しようとする課題】
【０００３】
しかしながら、従来の車両用計器装置では、文字板部が平坦な板状体で構成されているため、変化に乏しいという問題があった。
【課題を解決するための手段】
【０００４】
上記課題を解決するために、請求項１に記載された発明では、指針移動領域を有する文字板部と、指針移動領域に沿って移動可能な指針とを有する車両用計器装置において、前記文字板部を振動機構を用いて振動可能に構成した車両用計器装置を特徴としている。
【０００５】
請求項２に記載された発明では、前記文字板部が軟質材で構成され、前記振動機構が文字板部に取付けられた磁石と、該磁石を吸引・反発可能なソレノイドとを備えた車両用計器装置を特徴としている。
【０００６】
請求項３に記載された発明では、前記文字板部に同心円状凹凸部を形成した車両用計器装置を特徴としている。
【発明の効果】
【０００７】
請求項１の発明によれば、文字板部を振動機構を用いて振動可能に構成したことにより、文字板部にこれまでにない変化を付与することができる。また、文字板部の振動を利用することにより、文字板部自体をスピーカとして使用することが可能となる。或いは、文字板部の振動を、オーディオからの音や、排気音や、速度や回転数などを示す指針の動きや、エコドライブ状態などの車両の状態などと連動させることが可能となる。
【０００８】
請求項２に記載された発明では、文字板部を軟質材で構成したことにより、文字板部の振動を目視できるものとすることが可能となり、視覚効果を付与することが可能となる。また、振動機構が文字板部に取付けられた磁石と、該磁石を吸引・反発可能なソレノイドとを備えたことにより、ソレノイドで磁石を吸引・反発させるようにするだけで、簡単且つ確実に文字板部を目視できるように振動させることが可能となる。
【０００９】
請求項３に記載された発明では、文字板部に同心円状凹凸部を形成したことにより、振動によって文字板部に波紋が生じたように見せることができる。
【発明を実施するための最良の形態】
【００１０】
文字板部に変化を付与し得るようにするという目的を、文字板部を振動機構を用いて振動可能に構成する、という手段で実現した。
【実施例】
【００１１】
以下、本発明を具体化した実施例について、図示例と共に説明する。
【００１２】
図１〜図７は、この発明の実施例を示すものである。
【００１３】
まず、構成を説明すると、自動車などの車両には、車室内の前部にインストルメントパネルが設けられている。そして、このインストルメントパネルには、メータなどの車両用計器装置１が設けられている。このような車両用計器装置１は、通常、指針移動領域を有する文字板部２と、指針移動領域に沿って移動可能な指針３とを有している。
【００１４】
この場合、円形の開口部４を有するフレーム５の表面に、ほぼ筒状のフード部材６を介して透明カバー７が取付けられている。なお、透明カバー７は、上部が手前側に位置し下部が奥側に位置するように傾斜形成されている。これに伴って、フード部材６の透明カバー７を取付ける端面も対応する傾斜形状とされている。
【００１５】
そして、開口部４の内周部にリング状回転体１０が回動自在に嵌着され、このリング状回転体１０の外周面に形成された外歯歯車に駆動歯車１２を介して指針駆動用モータ１３が接続されて、リング状回転体１０を回転駆動し得るように構成されている。このリング状回転体１０の内周部に開口部４の半径方向へ向けて上記した指針３が取付けられている。なお、フレーム５の開口部４の手前側の縁部には、リング状回転体１０が外から見えないようにすると共にリング状回転体１０を軸線方向に係止し、回転方向へガイドするためのフランジ部１４が設けられている。また、指針駆動用モータ１３は、フレーム５の外周部に取付けられている。更に、特に図示しないが、フレーム５には、リング状回転体１０の回動を案内するガイド歯車などが適宜設けられている。
【００１６】
更に、このフレーム５の開口部４の裏面に対して、上記した指針移動領域を有する文字板部２が取付けられている。この文字板部２の表面には、文字目盛部が印刷などにより形成される。この文字目盛部には、蛍光塗料が混入或いは上塗りされている。そして、フード部材６には、文字目盛部を照明するためのＵＶ光源１６が取付けられている。
【００１７】
この実施例のものでは、文字板部２を振動機構２１を用いて振動可能に構成する。
【００１８】
より具体的には、先ず、文字板部２を軟質材２２で構成する。この軟質材２２としては、シリコン系の材料などを用いる。
【００１９】
振動機構２１が、文字板部２に取付けられた磁石２３と、この磁石２３を磁力吸引・磁力反発可能なソレノイド２４とを備えるようにする。磁石２３には、例えば、永久磁石や電磁石などを用いる。磁石２３は、文字板部２の中心部から裏面側へ突設した突起部２５などに取付けるようにする。ソレノイド２４は、磁石２３と対向配置させるようにする。そのために、ソレノイド２４は、金属製などの取付部材２６を用いて、文字板部２の裏面側中心部に支持している。
【００２０】
ここで、文字板部２は、図４に示すように、均一肉厚で表面が平坦なものとしても良い。
【００２１】
しかし、文字板部２に対し、予め同心円状凹凸部２８を形成することができる。この同心円状凹凸部２８は、図５に示すように、均一肉厚の文字板部２に波紋状の曲げ形状を与えることにより形成しても良い。また、同心円状凹凸部２８は、文字板部２の肉厚を変化させて形成することもできる。この場合には、図６に示すように、表面が平坦な文字板部２の裏面側の肉厚を変化させて同心円状凹凸部２８を形成するようにしても、特に図示しないが、裏面が平坦な文字板部２の表面側の肉厚を変化させて同心円状凹凸部２８を形成するようにしても良い。更に、図１に示すように、波紋状の文字板部２の表面側や裏面側に対し適宜肉厚を変化させて同心円状凹凸部２８を形成することもできる。
【００２２】
この同心円状凹凸部２８は、等間隔としても不等間隔としても良い。また、同心円状凹凸部２８の凹凸は、等しい深さとしても、異なる深さとしても良い。この実施例の場合、波紋の拡がりを表現するために、同心円状凹凸部２８は、外周側のものよりも内周側のもののほうが間隔が広くなり且つ深くなるようにしている。
【００２３】
加えて、図７に示すように、複数の振動機構２１，３１を設けることもできる。この例では、図１と同様の第一の振動機構２１の他に、第二の振動機構３１を備えている。この第二の振動機構３１は、文字板部２に取付けられた磁石３３と、この磁石３３を磁力吸引・磁力反発可能なソレノイド３４とを備えるようにする。磁石３３には、例えば、永久磁石や電磁石などを用いる。磁石２３は、文字板部２の半径方向の中間部から裏面側へ同心状に突設した複数の突起部３５などに、リング部材３６を介して取付けるようにする。ソレノイド３４は、磁石３３と対向配置させるようにする。ソレノイド３４は、上記取付部材２６を用いて、文字板部２の裏面側中心部に支持する。この場合、取付部材２６は、２個のソレノイド２４，３４を取付けられるように、図１とは若干異なる形状にしている。
【００２４】
次に、この実施例の作用について説明する。
【００２５】
指針駆動用モータ１３を駆動すると、駆動歯車１２、外歯歯車を介してリング状回転体１０が、フレーム５の開口部４の内周部に沿って回動される。これにより、リング状回転体１０のリング状回転体１０の内周部に開口部４の半径方向へ向けて取付けた指針３が回動され、文字板部２に形成された文字目盛部を差し示すこととなる。これにより、運転に必要な情報を表示することが可能となる。
【００２６】
そして、この実施例によれば、文字板部２を振動機構２１を用いて振動可能に構成したことにより、文字板部２にこれまでにない変化を付与することができる。また、文字板部２の振動を利用することにより、材質によっては文字板部２自体をスピーカとして使用することが可能となる。或いは、文字板部２の振動を、大きくし目視できるようにすれば、オーディオからの音や、排気音や、速度や回転数などを示す指針３の動きや、エコドライブ状態などの車両の状態などと同調・連動させることが可能となる。
【００２７】
また、文字板部２を軟質材２２で構成することにより、文字板部２の振動を容易に目視できるものとすることが可能となり、視覚効果を確実に付与することが可能となる。また、振動機構２１が文字板部２に取付けられた磁石２３と、磁石２３を吸引・反発可能なソレノイド２４とを備えたことにより、ソレノイド２４で磁石２３を吸引・反発させるようにするだけで、簡単且つ確実に文字板部２を目視できるように振動させることが可能となる。
【００２８】
なお、文字板部２の振動は、ソレノイド２４による磁石２３の吸引・反発の際に、文字板部２の中心から外周側へ向かって力が伝播されることによって発生される。この振動の伝播は、ソレノイド２４で強制駆動することによってコントロールすることができる。
【００２９】
よって、図４に示すように、文字板部２が、均一肉厚で表面が平坦なものであっても振動を発生させることが可能となる。
【００３０】
しかも、文字板部２に同心円状凹凸部２８を形成することにより、振動によって文字板部２に波紋が生じたように見せるという視覚効果を得ることができる。ここで、図５に示すように、均一肉厚の文字板部２に波紋状の曲げ形状を与えて同心円状凹凸部２８を形成した場合には、振動前から波紋を見せておくと共に、振動によって波紋が動くように見せることができる。また、文字板部２の肉厚を変化させて同心円状凹凸部２８を形成した場合には、厚肉部分が振動のエネルギーを増幅させるので、波紋の動きをより大きくよりリアルに見せることができる。この場合において、図６に示すように、表面が平坦な文字板部２の裏面側の肉厚を変化させて同心円状凹凸部２８を形成するようにした場合には、波紋のない状態から波紋が発生するように見せることができ、反対に、裏面が平坦な文字板部２の表面側の肉厚を変化させて同心円状凹凸部２８を形成するようにした場合には、波紋がある状態から波紋が動くように見せることができる。更に、図１に示すように、波紋状の文字板部２の表面側や裏面側に対し適宜肉厚を変化させて同心円状凹凸部２８を形成することにより、一層リアルな波紋が見えるように設定・調整することができる。
【００３１】
この場合において、同心円状凹凸部２８は、等間隔としても不等間隔としても良く、また、同心円状凹凸部２８の凹凸は、等しい深さとしても、異なる深さとしても良いが、外周側のものよりも内周側のもののほうが間隔が広くなり且つ深くなるようにすることにより、波紋の拡がりを表現することができる。
【００３２】
加えて、図７に示すように、複数の振動機構２１，３１を設けた場合には、駆動ポイントが増えるので、より多様なパターンで文字板部２に振動や波紋を発生させることが可能となる。例えば、複数の振動機構２１，３１を同位相で駆動したり、位相をズラせて駆動したり、逆位相で駆動したり、位相のズレ量が変化するように駆動したりすることにより、文字板部２の波紋に多彩な変化を産み出すことが可能となる。
【００３３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００３４】
【図１】本発明の実施例にかかる車両用計器装置の側方断面図である。
【図２】図１の正面図である。
【図３】図１の斜視図である。
【図４】表面が平坦な文字板部を示す部分断面図である。
【図５】波紋状の曲げが付与された文字板部を示す部分断面図である。
【図６】表面が平坦で裏面側の肉厚が変化された文字板部を示す部分断面図である。
【図７】複数の振動機構を有する車両用計器装置の側方断面図である。
【符号の説明】
【００３５】
２    文字板部
３    指針
２１  振動機構
２２  軟質材
２４  ソレノイド
２８  同心円状凹凸部
３１  振動機構
３４  ソレノイド
【図１】
2007085842.tif 000003
【図２】
2007085842.tif 000004
【図３】
2007085842.tif 000005
【図４】
2007085842.tif 000006
【図５】
2007085842.tif 000007
【図６】
2007085842.tif 000008
【図７】
2007085842.tif 000009